(57)【要約】【課題】  本発明の課題は、封止シートが常温で粘着性を示す粘着剤を介してフランジ部に接着されており、該封止シートが不用意に剥がれ難いブリスター包装体を提供することである。【解決手段】  本発明のブリスター包装体１は、収納凹部３の端縁からフランジ部５が延設されたカバー部材２と、前記フランジ部５に接着され且つ前記収納凹部５の開口側を閉塞する封止シート６と、を有し、前記封止シート６が、常温で粘着性を示す粘着剤６１２を介して前記フランジ部５に接着されており、前記フランジ部５が、前記封止シート６の端部よりも外側へ延出された延出部５２を有し、前記延出部５２が、前記封止シート６の端部の裏面と略同一面上、又は前記封止シート６の端部の裏面よりも突出されている部分を有する。【選択図】  図３
2010058835.tif 000002
【特許請求の範囲】
【請求項１】
収納凹部の端縁からフランジ部が延設されたカバー部材と、前記フランジ部に接着され且つ前記収納凹部の開口側を閉塞する封止シートと、を有するブリスター包装体であって、
前記封止シートが、常温で粘着性を示す粘着剤を介して前記フランジ部に接着されており、
前記フランジ部が、前記封止シートの端縁よりも外側へ延出された延出部を有し、
前記延出部が、前記封止シートの端部の裏面と略同一面上、又は前記封止シートの端部の裏面よりも突出されている部分を有することを特徴とするブリスター包装体。
【請求項２】
前記封止シートが、略矩形状であり、
前記フランジ部が、前記略矩形状の封止シートの両方の側端縁よりも外側へそれぞれ延出されている側端延出部を有し、
前記側端延出部が、前記封止シートの側端部の裏面と略同一面上、又は前記封止シートの側端部の裏面よりも突出されている請求項１に記載のブリスター包装体。
【請求項３】
前記フランジ部が、前記略矩形状の封止シートの上端縁よりも外側へ延出されている上端延出部を有し、
前記上端延出部が、前記封止シートの上端部の裏面と略同一面上、又は前記封止シートの上端部の裏面よりも突出されている請求項２に記載のブリスター包装体。
【発明の詳細な説明】
【技術分野】
【０００１】
本発明は、物品を収納して陳列するためのブリスター包装体に関する。
【背景技術】
【０００２】
従来、乾電池、化粧品、玩具などの各種物品を包装する形態として、ブリスター包装体が知られている。
該ブリスター包装体は、一般的に、合成樹脂製シートを成形したカバー部材と、封止シートと、を有する。カバー部材は、その一部分に物品収納用の収納凹部が形成され、且つ該収納凹部の端縁からフランジ部が延設されている。封止シートは、前記収納凹部の開口側を閉塞するように、前記フランジ部の裏面に接着される。
かかる封止シートは、感熱型接着剤又は熱溶着可能なシーラント層を介してカバー部材のフランジ部に接着されている（特許文献１）。
【特許文献１】特開２００８−６８８７６号公報
【発明の開示】
【発明が解決しようとする課題】
【０００３】
しかしながら、上記感熱型接着剤やシーラント層を用いて封止シートをカバー部材に接着する場合、次のような問題点がある。
第１に、感熱型接着剤等を加熱するため、熱によって変性し易い物品が損傷を受けることがある。第２に、加熱するため、封止シートやカバー部材に耐熱性が要求される。
かかる問題点を解消するため、上記封止シートを、常温で粘着性を示す粘着剤（以下、単に「粘着剤」という場合がある）を介してフランジ部に接着させることが考えられる。
【０００４】
しかしながら、粘着剤を用いて封止シートを接着した場合、感熱型接着剤やシーラント層を用いた場合に比して、封止シートがフランジ部から剥がれる虞がある。
【０００５】
具体的には、従来のブリスター包装体は、平坦状に延設されたフランジ部の裏面に封止シートが接着されているため、封止シートの端縁とフランジ部の端縁の間から、封止シートとフランジ部との接合部分が露出している（特許文献１の図３参照）。
かかるブリスター包装体は、複数個を梱包箱に詰めて流通に供されるが、その搬送中、第１のブリスター包装体の封止シートの端縁が、隣接する第２のブリスター包装体のフランジ部の端縁又は封止シートの端縁に衝突することによって、封止シートとフランジ部の接合部分に剥離力が作用する。
【０００６】
感熱型接着剤やシーラント層は、加熱後、常温に戻る過程で固化するため、封止シートとフランジ部を感熱型接着剤などを介して接着した場合には、上記封止シートの剥がれの問題は生じない。
しかしながら、粘着剤は、接着後所定時間を経過しなければ十分な接着力を発揮しないため、封止シートとフランジ部を粘着剤を介して接着した場合には、搬送中などにおいて、第１の包装体の封止シートの端縁に、第２の包装体のフランジ部の端縁などが衝突することによって、封止シートが不用意に剥がれる虞がある。
【０００７】
本発明の目的は、常温で粘着性を示す粘着剤を介してフランジ部に接着された封止シートが不用意に剥がれ難いブリスター包装体を提供することである。
【課題を解決するための手段】
【０００８】
本発明のブリスター包装体は、収納凹部の端縁からフランジ部が延設されたカバー部材と、前記フランジ部に接着され且つ前記収納凹部の開口側を閉塞する封止シートと、を有し、前記封止シートが、常温で粘着性を示す粘着剤を介して前記フランジ部に接着されており、前記フランジ部が、前記封止シートの端縁よりも外側へ延出された延出部を有し、前記延出部が、前記封止シートの端部の裏面と略同一面上、又は前記封止シートの端部の裏面よりも突出されている部分を有することを特徴とする。
【０００９】
上記本発明のブリスター包装体は、封止シートとフランジ部を接着するために、常温で粘着性を示す粘着剤を用いているので、両者を接着する際に加熱する必要がない。
さらに、上記ブリスター包装体は、フランジ部から外側へ延出された延出部が、封止シートの端部の裏面と略同一面上又は封止シートの端部の裏面よりも突出されている。このため、封止シートの端縁に異物が衝突したり、或いは、封止シートとフランジ部の接合部分に異物が進入することを防止できる。
よって、本発明によれば、搬送中などにおいて、封止シートが剥がれ難いブリスター包装体を提供できる。
【００１０】
本発明の好ましいブリスター包装体は、前記封止シートが略矩形状であり、前記フランジ部が、前記略矩形状の封止シートの両方の側端縁よりも外側へそれぞれ延出されている側端延出部を有し、前記側端延出部が、前記封止シートの側端部の裏面と略同一面上、又は前記封止シートの側端部の裏面よりも突出されている。
【００１１】
また、本発明の好ましいブリスター包装体は、前記フランジ部が、前記略矩形状の封止シートの上端縁よりも外側へ延出されている上端延出部を有し、前記上端延出部が、前記封止シートの上端部の裏面と略同一面上、又は前記封止シートの上端部の裏面よりも突出されている。
【発明の効果】
【００１２】
本発明のブリスター包装体は、常温で粘着性を示す粘着剤を用いているので、加熱することなく封止シートをフランジ部に接着させることができる。
さらに、本発明のブリスター包装体は、封止シートが不用意に剥がれ難いので、物品の包装に適している。
【発明を実施するための最良の形態】
【００１３】
以下、本発明の具体的な実施態様について適宜図面を参照しつつ説明する。
図１〜図４において、ブリスター包装体１は、収納凹部３を有するカバー部材２と、前記収納凹部３の開口側を閉塞する封止シート６と、を有する。
【００１４】
カバー部材２には、収納凹部３が形成されている。収納凹部３は、物品４を収納する凹状の空間部分である。該収納凹部３は、正面壁３１と、前記正面壁３１の周端縁から正面壁３１に対して略直交して延設された周面壁３２と、を有し、前記周面壁３２の端縁で囲われた部分に、物品４を出し入れするための開口部３９が形成されている。
収納凹部３の形状は、物品４の形状などに応じて適宜設計される。本実施形態では、収納凹部３の正面壁３１は、正面視略矩形状に形成されている。従って、収納凹部３の周面壁３２は、正面壁３１の両側端縁から正面壁３１に対して略直交して延設された一対の側面壁３３，３３と、正面壁３１の上下端縁から正面壁３１に対して略直交して延設された上下面壁３４，３５と、から構成されている。
【００１５】
さらに、上記収納凹部３の端縁（周面壁３２の端縁）から、フランジ部５が外側へ延設されている。なお、本明細書において「外側」とは、収納凹部３の中心から離れる方向を指す。
上記フランジ部５は、封止シート６が接着される接着部５１と、接着された封止シート６の端縁よりも外側へ延出された延出部５２と、を有する。
フランジ部５の接着部５１の裏面は、封止シート６が接着される部分である。該接着部５１の裏面は、周面壁３２に対して略直交して延設された平坦状の面から構成されている。
なお、本明細書において「裏面」とは、収納凹部３側に対して反対側の面を指す。
【００１６】
フランジ部５の延出部５２は、封止シート６の端縁を覆う部分である。延出部５２は、接着部５１の裏面に対して略直交して折れ曲がり且つ封止シート６の端縁に対向した段部と、該段部に対して略直交して外側へ延設された平坦部分と、を有する。
延出部５２の平坦部分は、その裏面が前記接着部５１の裏面に接着された封止シート６の端部の裏面と略同一面上、又は、前記封止シート６の端部の裏面よりも外側へ突出するように形成されている。
【００１７】
上記フランジ部５は、収納凹部３の端縁の全体から延設されていてもよいが、本実施形態では、フランジ部５は、両側面壁３３，３３の端縁及び上面壁３４の端縁から外側へ延設されている。
【００１８】
従って、フランジ部５の接着部５１は、側面壁３３の端縁から側面壁３３に対して略直交して外側へ延設された接着部５１１（以下、この接着部を側端接着部という）と、上面壁３４の端縁から上面壁３４に対して略直交して外側へ延設された接着部５１２（以下、この接着部を上端接着部という）と、から構成されている。
延出部５２は、側端接着部５１１の端縁から延設された延出部５２１（以下、この延出部を側端延出部という）と、上端接着部５１２の端縁から外側へ延設された延出部５２２（以下、この延出部を上端延出部という）と、から構成されている。
【００１９】
側端延出部５２１は、図３に示すように、側端接着部５１１の裏面に対して略直交して折れ曲がり且つ封止シート６の側端縁６ａに対向した段部５２４と、該段部５２４に対して略直交して外側へ延設された平坦部分と、を有する。従って、側端延出部５２１の平坦部分の裏面５２１ａは、側端接着部５１１の裏面よりも外側へ位置しており、側端延出部５２１の平坦部分の裏面５２１ａと側端接着部５１１の裏面は、高低差Ａを有する。
また、上端延出部５２２は、図４に示すように、上端接着部５１２の裏面に対して略直交して折れ曲がり且つ封止シート６の上端縁６ｂに対向した段部５２５と、該段部５２５に対して略直交して外側へ延設された平坦部分と、を有する。従って、上端延出部５２２の平坦部分の裏面５２２ａは、上端接着部５１２の裏面よりも外側へ位置しており、上端延出部５２２の平坦部分の裏面５２２ａと上端接着部５１２の裏面は、同様に、高低差Ａを有する。
【００２０】
前記高低差Ａは、封止シート６の厚みに応じて適宜設計できる。高低差Ａは、好ましくは、封止シート６の厚みの１倍〜５倍であり、より好ましくは１倍〜３倍であり、特に好ましくは１倍〜２倍である。
具体的な寸法では、高低差Ａと封止シート６の厚みの差（高低差Ａ−封止シート６の厚み）は、０〜１ｍｍであり、好ましくは０．１ｍｍ〜０．５ｍｍである。
【００２１】
なお、高低差Ａが封止シート６の厚みと同じ（封止シート６の厚みの１倍）である場合、延出部５２（本実施形態の場合、側端延出部５２１及び上端延出部５２２）の平坦部分の裏面５２１ａ，５２２ａが、接着部５１（同、側端接着部５１１及び上端接着部５１２）の裏面に接着された封止シート６の端部（同、封止シート６の側端部及び上端部）の裏面と略同一面上となる。
一方、高低差Ａが封止シート６の厚みよりも大きい場合には、延出部５２（同、側端延出部５２１及び上端延出部５２２）の平坦部分の裏面５２１ａ，５２２ａが、接着部５１（同、側端接着部５１１及び上端接着部５１２）の裏面に接着された封止シート６の端部（同、封止シート６の側端部及び上端部）の裏面よりも突出する。
【００２２】
上記側端延出部５２１の幅Ｂは、特に限定されない。ただし、カバー部材２がシート成形法によって形成される場合、側端延出部５２１の幅Ｂは、好ましくは０．５ｍｍ〜５ｍｍ程度であり、より好ましくは１ｍｍ〜３ｍｍ程度に形成される。シート成形法では、長尺状の原反シートを金型に当てることによって、その長手方向に複数のカバー部材が繋がった状態で成形されていき、この繋がったものを個々に切断することによって１つのカバー部材２が得られる。通常、カバー部材２は、両側端部が繋がった状態で成形されるので、段部５２４に沿って切断することが困難であり、その製造上、側端延出部５２１は、ある程度の幅が必要となるからである。
【００２３】
また、上端延出部５２２の幅Ｃも特に限定されないが、上端延出部５２２は、包装体１のヘッダーとしても機能する。このヘッダーとして機能させるために、上端延出部５２２の幅Ｃは、好ましくは１０ｍｍ〜５０ｍｍ程度に形成される。
なお、接着部５１（側端接着部５１１及び上端接着部５１２）の幅は、余りに短いと封止シート６の接着不良を起こす虞があるので、３ｍｍ以上、好ましくは５ｍｍ以上、より好ましくは８ｍｍ以上に形成される。
【００２４】
上記カバー部材２の材質は、特に限定されず、例えば、ポリエチレンテレフタレート、ポリ塩化ビニル、ポリプロピレン、ポリスチレン等の合成樹脂が挙げられる。カバー部材２は、収納された物品４を透視するため、透明又は半透明であることが好ましいが、非透明な材質を用いてもよい。
カバー部材２は、射出成形法によって形成することもできるが、通常、シート成形法によって形成される。前記シートとしては、合成樹脂製シート、複数の合成樹脂製シートが積層された積層シートなどを用いることができる。
カバー部材２の厚みは、０．１〜２ｍｍであり、好ましくは０．２〜１ｍｍである。
【００２５】
次に、封止シート６は、収納凹部３の開口部３９を閉塞するために、フランジ部５の接着部５１の裏面に接着されている。
封止シート６の正面視形状は、特に限定されないが、収納凹部３が正面視略矩形状に形成されている場合には、通常、封止シート６も正面視略矩形状に形成される。
【００２６】
本実施形態では、略矩形状の封止シート６の両側端部及び上端部が、フランジ部５の両方の側端接着部５１１，５１１の裏面及び上端接着部５１２の裏面に、粘着剤を介して接着されている。
フランジ部５の側端接着部５１１，５１１及び上端接着部５１２に接着された封止シート６は、その側端縁６ａ，６ａの外側に段部５２４，５２４が対面し且つその上端縁６ｂの外側に段部５２５が対面している。
従って、封止シート６の側端縁６ａには、段部５２４を含む側端延出部５２１が被さっており、同様に、封止シート６の上端縁６ｂには、段部５２５を含む上端延出部５２２が被さっている。
【００２７】
封止シート６の層構成は、図３及び図４に示すように、ベースシート６１と、該ベースシート６１に積層された粘着剤層６２と、該粘着剤層６２を部分的に覆うマスキング層６３と、を有する。
【００２８】
粘着剤層６２は、常温で粘着性を示す粘着剤を含む層である。
マスキング層６３は、粘着剤層６２の粘着性を実質的に隠蔽するために設けられる層である。マスキング層６３が設けられる領域は、収納凹部３の開口部３９に対応する領域である。この領域にマスキング層６３が設けられていることにより、封止シート６を接着して収納凹部３の開口部３９を閉塞したときに、収納された物品４が封止シート６に接着することを防止できる。
【００２９】
他方、マスキング層６３が設けられていない領域（封止シート６の両側端部及び上端部）は、粘着剤層６２が露出しており、封止シート６は、該粘着剤層６２を介して、接着部５１（側端接着部５１１及び上端接着部５１２）の裏面に接着されている。
封止シート６の厚みは、特に限定されないが、０．０５ｍｍ〜１．０ｍｍであり、好ましくは０．１ｍｍ〜０．５ｍｍである。
【００３０】
ベースシート６１は、例えば、厚紙、合成紙、合成樹脂シートなどの各種シート、及びこれらの積層シート、及びこれらシートに金属蒸着層などの他の機能層が積層された積層シートなどを用いることができる。なお、本明細書において、シートとは、一般的にフィルムと呼ばれるものを含む意味である。
好ましくは、ベースシート６１としては、合成樹脂製シート、２以上の合成樹脂製シートを積層した積層シート、及び合成樹脂シートを含む積層シートが用いられる。
【００３１】
また、ベースシート６１は、柔軟であることが好ましい。
柔軟なベースシート６１を用いることにより、封止シート６が、カバー部材２のフランジ部５の形状に沿って適宜変形し得る。このため、封止シート６がフランジ部５の接着部５１に確実に面接着して接着強度が増し、封止シート６が不用意に剥がれることを防止できる。更に、封止シート６の厚みを上記のような範囲に設定すれば、封止シート６が更に変形し易くなる。このため、封止シート６がフランジ部５の接着部５１に対して更に面接着し易くなるので好ましい。
【００３２】
なお、ベースシート６１の裏面又は表面には、物品名、絵柄、物品説明などの任意の意匠印刷が施されていてもよい。
本発明においては、封止シート６が、常温で粘着性を示す粘着剤を用いてフランジ部５に接着されるため、上記ベースシート６１やカバー部材２には、耐熱性が要求されない。そのため、ベースシート６１やカバー部材２は、ポリエチレンやポリ乳酸などの耐熱性の低い合成樹脂製シートを用いることも可能である。
【００３３】
粘着剤層６２は、ベースフィルム６１に、常温で粘着性を示す粘着剤を実質的にベタ状に塗工することによって形成できる。なお、「常温」とは、外気温に相当する温度を意味し、−１０℃〜５０℃の範囲を含み、好ましくは、０℃〜４０℃の範囲を含む。また、「実質的にベタ状」とは、格子状、網目状、無数の点が集まった形状などを含む意味である。
粘着剤層６２の厚みは、３μｍ〜５０μｍ程度であり、好ましくは１０μｍ〜３０μｍ程度である。
【００３４】
上記粘着剤としては、天然ゴム系粘着剤、合成ゴム系粘着剤、アクリル系粘着剤、ポリビニルエーテル系粘着剤、シリコーン系粘着剤などの感圧型粘着剤などが用いられる。
上記粘着剤の具体例としては、アクリル酸エチル等のアクリル酸アルキルエステルやメタクリル酸ブチル等のメタクリル酸アルキルエステルなどのアルキルエステルモノマーと、酢酸ビニル等の共重合性モノマーと、アクリル酸等のカルボキシル基含有モノマーや２−ヒドロキシエチル（メタ）アクリレート等のヒドロキシル基含有モノマー等の極性基含有モノマーと、を共重合させた共重合体を含むアクリル系粘着剤（特に、水溶性アクリル系粘着剤）などが挙げられる。
また、上記粘着剤の形態としては、溶剤系、無溶剤系、水系、ホットメルト系（このホットメルト系とは、加熱して塗工した後に、常温で粘着性を示す形態の粘着剤を指す）などが挙げられる。
【００３５】
マスキング層６３は、粘着剤層６２の所定領域（収納凹部３の開口部３９に対応する領域）にマスキング剤を重ねて塗工することによって形成されている。
マスキング剤としては、例えば、紫外線硬化型樹脂を含む紫外線硬化型インキなどを用いることができる。
紫外線硬化型インキは、光重合性樹脂（プレポリマー及びモノマー）、光重合開始剤、着色剤、及び助剤などを含むが、本発明に用いられる紫外線硬化型インキは、顔料などの着色剤を含まない紫外線硬化型インキが好ましい（一般に、メジウムインキと呼ばれる）。着色剤を含まない紫外線硬化型インキを用いることで、無色透明なマスキング層６３を形成できる。
なお、マスキング層６３は、粘着剤層６２の所定領域に、薄いフィルムを貼付することによって形成することもできる。
【００３６】
マスキング層６３の厚みは、２μｍ〜３０μｍ程度であり、好ましくは３μｍ〜２０μｍ程度である。
なお、マスキング層６３の厚みを薄くすると、マスキング層６３が積層された領域においても、粘着剤層６２の粘着力が若干作用する。このため、収納凹部３に収納された物品４が、封止シート６（マスキング層６３から染み出した粘着剤層６２）に弱く接着し得る。このように物品４を封止シート６に弱く接着させることによって、物品４が収納凹部３内で揺れ動くことを防止できる。
【００３７】
なお、ブリスター包装体１には、フック等に吊すための吊下げ用孔７が設けられていることが好ましい。該吊下げ用孔７は、フランジ部５の上端延出部５２２の面内に穴を穿設することによって形成されている。もっとも、吊下げ用孔７は、その他の部分に形成されていてもよい。
【００３８】
本発明のブリスター包装体１は、接着部５１から延出された側端延出部５２１及び上端延出部５２２の裏面が、封止シート６の側端部及び上端部の裏面と略同一面上又は前記側端部及び上端部の裏面よりも外側に突出されている。このため、封止シート６の側端縁６ａに側端延出部５２１が被さり、且つ、封止シート６の上端縁６ｂに上端延出部５２２が被さっているので、封止シート６とフランジ部５の接合部分が露出しない。
かかるブリスター包装体１は、図５に示すように、第１のブリスター包装体１’の裏面側に、隣接する第２のブリスター包装体１”のフランジ部５が接触しても、第２のブリスター包装体１”のフランジ部５の端縁５ａが、第１のブリスター包装体１’の封止シート６の端縁６ａに衝突しない。
よって、上記ブリスター包装体１は、搬送中などにおいて、異物に接触することによって、封止シートが６不用意に剥がれることを防止できる。
【００３９】
また、本発明のブリスター包装体１は、封止シート６が粘着剤を用いてフランジ部５に接着されているため、封止シート６及びカバー部材２に耐熱性が要求されず、又、収納する物品４が熱損傷を受けることもない。
【００４０】
次に、本発明のブリスター包装体の他の実施形態を示す。ただし、他の実施形態の説明において、上記実施形態と同様の構成及び効果については、その説明を省略し、用語及び符号を援用する場合がある。
【００４１】
上記実施形態においては、フランジ部５が収納凹部３の側面壁３３，３３及び上面壁３４の端縁から延設されているため、封止シート６が収納凹部３の下面壁３５の端縁において接着せず、この非接着な部分（封止シート６の下端部）を起点として、封止シート６を容易に開封できる。
もっとも、フランジ部５は、収納凹部３の端縁全体から延設されていてもよい。この場合、封止シート６の端部の全体が、フランジ部５の接着部５２に接着される。
【００４２】
また、上記実施形態においては、延出部５２は、封止シート６の両側端縁６ａ，６ａ及び上端縁６ｂよりも外側に延設されているが、例えば、延出部５２は、封止シート６の両側端縁６ａ，６ａにおいてのみ外側へ延設されていてもよい。さらに、延出部５２は、封止シート６の端縁全体において外側へ延設されていてもよい。
【００４３】
さらに、上記実施形態においては、延出部５２は、接着部５１に対して略直交して折れ曲がった段部と、該段部に対して略直交して外側に延設された平坦部分と、を有するが、例えば、図６に示すように、延出部５２は、全体として外側へテーパ状に延設された傾斜面とされていてもよい。この場合、延出部５２の端縁５２ａが、封止シート６の端部（例えば、封止シート６の側端部、封止シート６の上端部など）の裏面と略同一面上、又は前記封止シート６の端部の裏面よりも突出するように、延出部５２が延設されていればよい。
【００４４】
さらに、図７に示すように、延出部５２は、接着部５１に対して略直交して折れ曲がり且つ封止シート６の端縁に対面した段部のみから構成されていてもよい。この場合も、延出部５２の端縁５２ａが、封止シート６の端部の裏面と略同一面上、又は前記封止シート６の端部の裏面よりも突出するように、延出部５２が延設されていればよい。
【００４５】
また、上記実施形態においては、フランジ部５の接着部５１は、収納凹部３の周面壁３２に対して略直交して延設されているが、例えば、図８に示すように、接着部５１は、収納凹部３の周壁面３２に対して外側へテーパ状に延設された傾斜面とされていてもよい。この場合、前記傾斜面とされた接着部５１に沿って封止シート６の端部を僅かに曲げることによって、封止シート６が接着部５１に接着される。
図８においては、傾斜面とされた延出部５２を図示しているが、延出部５２は、上記実施形態のように、段部を有する形状などに変更することもできる。
【００４６】
なお、封止シート６が柔軟である場合、収納する物品４の大きさによって、図９に示すように、封止シート６の収納凹部３に対応する領域の中央部が外側に膨らむことがある。この場合、封止シート６の中央部裏面が延出部５２の裏面よりも外側に突出することがある。本発明のブリスター包装体１は、延出部５２の裏面が、封止シート６の端部の裏面と略同一面上、又はそれよりも突出されていればよいので、延出部５２の裏面よりも封止シート６の中央部裏面が突出する場合も本発明に含まれる。
【００４７】
また、上記実施形態においては、封止シート６は、正面視略矩形状に形成されているが、例えば、正面視略円形状、正面視略楕円形状、任意の不定形状などに形成されていてもよい。封止シート６が略矩形状でない場合、延出部５２は、この非矩形状の封止シート６の端縁全体において外側へ延設されていることが好ましいが、延出部５２は、この非矩形状の封止シート６の端縁の一部において外側へ延設されていてもよい。
【図面の簡単な説明】
【００４８】
【図１】１つの実施形態に係るブリスター包装体の正面図。
【図２】同背面図。
【図３】図１のＩＩＩ−ＩＩＩ線拡大断面図。
【図４】図１のＩＶ−ＩＶ線拡大断面図。
【図５】２つのブリスター包装体のフランジ部が重なり合った状態を示す参考断面図（図１のＩＩＩ−ＩＩＩ線切断面と同じ方向で切断した参考断面図）。
【図６】他の実施形態に係るブリスター包装体の断面図（図１のＩＩＩ−ＩＩＩ線切断面と同じ方向で切断した断面図（ただし、封止シートの層構成は図示せず）。図７〜図９も同じ）。
【図７】更に他の実施形態に係るブリスター包装体の断面図。
【図８】更に他の実施形態に係るブリスター包装体の断面図。
【図９】更に他の実施形態に係るブリスター包装体の断面図。
【符号の説明】
【００４９】
１…ブリスター包装体、２…カバー部材、３…収納凹部、３９…収納凹部の開口部、４…物品、５…フランジ部、５１…接着部、５１１…側端接着部、５１２…上端接着部、５２…延出部、５２１…側端延出部、５２２…上端延出部、６…封止シート
【図１】
2010058835.tif 000003
【図２】
2010058835.tif 000004
【図３】
2010058835.tif 000005
【図４】
2010058835.tif 000006
【図５】
2010058835.tif 000007
【図６】
2010058835.tif 000008
【図７】
2010058835.tif 000009
【図８】
2010058835.tif 000010
【図９】
2010058835.tif 000011